Podtech/llm-jp-corpus-v4-ja_patent huggingface dataset:
(57)【要約】【課題】乳幼児がドアーの開閉時に手指を挟まれる重大事故が従来より多発している。ドアーの開閉時に生じる柱とドアーの蝶番部分の隙間にガード板を設けることによって解決するドアー事故防止板を提供する。【解決手段】ドアーの開閉時に生じる柱とドアーの蝶番部分の隙間に対し、柱側のガード面を柱と固定する。一方、ドアー側のガード面をドアー側面と固定する。両方のガード面の中央に円筒形のふくらみを設け一体型を成す。【選択図】図１
2010059762.tif 000002
【特許請求の範囲】
【請求項１】
柱とドアーの蝶番部分の隙間に柱側のガード面とドアー側のガード面を設け、両方のガード面の中央に円筒形のふくらみを設けたことを特徴とするドアー事故防止板。
【発明の詳細な説明】
【技術分野】
【０００１】  本発明は、乳幼児がドアー開閉時に起こす事故を未然に防止する為のものである。
【背景技術】
【０００２】  従来より、乳幼児がドアーに手指を挟まれる事故が多発している。その状況は、現在も変わらず一刻も早く事態の解決が望まれる。
【発明の開示】
【発明が解決しようとする課題】
【０００３】  乳幼児がドアーに手指を挟まれる事故が多発しているが、そのことに対する防御策は何もなされていなかった。
本発明は、以上の問題点を解決するためになされたものである。
【課題を解決するための手段】
【０００４】  ドアーの開閉時、柱とドアーの蝶番部分の隙間に柱側のガード面を柱と固定し、もう一方のドアー側のガード面をドアー側面と固定する。両方のガード面の中央に円筒形のふくらみを設ける。
以上の構成よりなるドアー事故防止板。
【発明の効果】
【０００５】  ドアーの開閉時、乳幼児がドアーに手指を挟まれる重大事故が後を絶たない。本発明であるドアー事故防止板は、ドアー開閉時のドアーの隙間を密閉して乳幼児の手指をガードする効果が期待できる。
【発明を実施するための最良の形態】
【０００６】  以下、本発明の実施の形態を説明する。
（イ）柔軟性のある板の左右両端より一定間隔のところで板に対して縦に折り目（６）を入れ、外側に折り込む。左端より折り目（６）までの部分を左ガード面（１）と呼ぶ。左ガード面の端には左テープ面（４）がある。一方、右端より折り目（６）までの部分を右ガード面（３）と呼ぶ。右ガード面の端には右テープ面（５）がある。
（ロ）左右の折り目（６）の中央の部分に円筒形のふくらみ（２）を持たせる。
本発明は、以上のような構造である。
本発明を使用するにあたり、ドアーの部屋側と廊下側では以下の呼称が逆になる。
ここでは、向って柱が左側にあるドアーについて述べる。
左ガード面（１）の左テープ面（４）を柱とドアーの蝶番部分の柱側面に貼り、もう一方の右ガード面（３）の右テープ面（５）をドアー側面に貼る。
通常、ドアーの開閉には柱とドアーの蝶番の接合部分に隙間が生じる。ドアー事故防止板を使用することによって二つのガード面（１），（３）がこの隙間を密閉する。中央の円筒形のふくらみ（２）は、ドアーの開閉時の隙間の広がりに対して伸縮性をもって二つのガード面（１）、（３）に作用している。
【図面の簡単な説明】
【０００７】
【図１】本発明の使用状態を示す斜視図
【図２】本発明の斜視図
【符号の説明】
【０００８】（１）左ガード面、（２）円筒形のふくらみ、（３）右ガード面、（４）左テープ面、（５）右テープ面、（６）折り目
【図１】
2010059762.tif 000003
【図２】
2010059762.tif 000004
(57)【要約】      （修正有）【課題】心拍変動調整し精神的あるいは情緒的に良好な状態にできなかった点をヘスペリジン類を含有してなる心拍変動調整剤の摂取により可能とする方法を提供する。【解決手段】ヘスペリジン類を、一回摂取時にヘスペレチン換算で２０ｍｇから５０００ｍｇ摂取する心拍変動調整方法。【選択図】図１
2010059097.tif 000002
【特許請求の範囲】
【請求項１】
ヘスペリジン類を含有してなる心拍変動調整剤
【請求項２】
ヘスペリジン類が、ヘスペレチン、ヘスペリジン、および配糖体化されたヘスペリジンである請求項１の心拍変動調整剤
【請求項３】
ヘスペリジン類を、一回摂取時にヘスペレチン換算で２０ｍｇから５０００ｍｇ摂取する心拍変動調整方法
【発明の詳細な説明】
【技術分野】
【０００１】
本発明は、心拍変動調整剤とその方法に関するものである。
【背景技術】
【０００２】
心拍変動とは、心拍の時間間隔の変化のことで、精神的あるいは情緒的な状態を反映している。
ヘスペリジン類は主に柑橘類に含まれるフラボノイドであるが、これまでヘスペリジン類の効果として、神経機能調節剤の報告（特許文献１）がある。この報告の適用例では、神経症、メニエール症、神経衰弱といった神経機能失調者に２ヶ月以上の服用で改善された事例は記載されているが、心拍変動の調整効果は無い。さらに、慢性的な機能障害の改善であり、急性的な改善効果ではない。また、健常者の精神または情緒的な状態を改善した事例は無い。
【特許文献１】特開平11-255655号公報
【発明の開示】
【発明が解決しようとする課題】
【０００３】
解決しようとする問題点は、これまで、心拍変動調整し精神的あるいは情緒的に良好な状態にできなかった点である。
【課題を解決するための手段】
【０００４】
本発明の心拍変動は、心拍のＲ波間隔を周波数解析で得られる心拍変動性指標（以下、ＨＲＶ）により評価する。このＨＲＶは、周波数解析でえられた低周波（ＬＦ）成分（0.04〜0.15Hｚの周波数成分）、高周波（ＨＦ）成分（0.15〜2.00Hｚの周波数成分）のピークパワー値等を用い、精神状態の定量化を行う手法ならびに評価指標で、医学的に検討価値の高い指標として知られている。
【０００５】
ＬＦ成分値は精神的緊張の増大などにより増加し、ＨＦ成分値は、安静状態や睡眠中に高い値を示し緊張度の増大により消失する。
【０００６】
実際には、ＨＦ成分値が高くなる、または、ＬＦ／ＨＦ成分の数値が低くなることで、精神的に安定であると評価する。
【０００７】
ヘスペリジン類は主に柑橘類に含まれるフラボノイドで、アグリコンであるヘスペレチン、これに糖鎖が結合したヘスペリジン、さらにサイクロデキストリン合成酵素などで糖を付加させた酵素処理ヘスペリジン（あるいは糖転移ヘス
ペリジン）などがあげられる。本発明では、どのヘスペリジン類を用いても有効である。
【０００８】
本発明での有効成分はヘスペリジン類であり、その有効な摂取量は、一回摂取時にヘスペレチン換算で、２０ｍｇから５０００ｍｇの摂取が好ましい。これらの範囲よりも少ない摂取量の場合、有効成分が少なくなるため、効果が期待できない。また、これらの範囲よりも多い場合は、日常に摂取できる範囲を超え、さらに適切な摂取形態をなさない。
【０００９】
有効量のヘスペリジン類を摂取後、６時間以内で急性的に効果が発現する。
【発明の効果】
【００１０】
本発明は、心拍変動調整し精神的あるいは情緒的に良好な状態にする利点がある。
【発明を実施するための最良の形態】
【００１１】
ヘスペリジン類組成物は、ヘスペリジン類単独で構成されたものでもよいが、これ以外に、食品素材、食品添加物、医薬品素材と混合した複合の組成物でもよい。
【００１２】
ヘスペリジン類組成物は、どのような形態でもよく、例えば、固形、粉末または液状などの飲食品形態、錠剤、カプセル剤、顆粒剤などの製剤形態、飼料形態などが挙げられる。
【実施例】
【００１３】
次に実施例を挙げ、本発明をさらに詳しく説明するが、本発明はこれら実施例等に何ら制約されるものではない。
（実施例１）
18歳から22歳の健康な女子学生11名を対象に実施した。温度22℃湿度50%の室内で、60℃に温めた酵素処理ヘスペリジン500mg（ヘスペレチン換算190ｍｇ）配合した200mlの飲料（試験品）と配合していない飲料（対照品）をダブルブラインド
クロスオーバーで摂取させ、心拍変動を計測し、心拍変動はＨＦ成分とＬＦ／ＨＦ成分の数値を求めた。その結果、試験品摂取時には、対照品摂取時と比べ、摂取７０分後まで、ＨＦ成分が高く（図１）、ＬＦ／ＨＦ成分は低く（図２）、心拍変動調整効果が認められた。
【００１４】
（比較例１）
18歳から22歳の健康な女子学生11名を対象に実施した。温度22℃湿度50%の室内で、37℃に温めたヘスペレチン19ｍｇ配合した200mlの飲料（試験品）と配合していない飲料（対照品）をダブルブラインド
クロスオーバーで摂取させ、心拍変動を計測し、心拍変動はＨＦ成分とＬＦ／ＨＦ成分の数値を求めた。その結果、試験品と対照品間で、ＨＦ成分（図３）、ＬＦ／ＨＦ成分（図４）とも、有意な差は無く、ヘスペレチン19ｍｇでは少量のため効果が無かった。
【産業上の利用可能性】
【００１５】
ヘスペリジン類を含有してなる心拍変動調整剤の摂取により心拍変動調整し精神的あるいは情緒的に良好な状態にできる。
【図面の簡単な説明】
【００１６】
実施例１のＨＦ成分（図１）とＬＦ／ＨＦ成分（図２）の経時的変動を11名平均で示した。
比較例１のＨＦ成分（図３）とＬＦ／ＨＦ成分（図４）の経時的変動を11名平均で示した。
【図１】
2010059097.tif 000003
【図２】
2010059097.tif 000004
【図３】
2010059097.tif 000005
【図４】
2010059097.tif 000006
【手続補正書】
【提出日】平成20年10月2日(2008.10.2)
【手続補正１】
【補正対象書類名】明細書
【補正対象項目名】００１６
【補正方法】変更
【補正の内容】
【００１６】
【図１】実施例１のＨＦ成分の経時的変化を１１名平均で示した。
【図２】実施例１のＬＦ／ＨＦ成分の経時的変化を１１名平均で示した。
【図３】比較例１のＨＦ成分の経時的変化を１１名平均で示した。
【図４】比較例１のＬＦ／ＨＦ成分の経時的変化を１１名平均で示した。
(57)【要約】【課題】奥行きのある額縁付容器内に収納したドライフラワーを、変色させずに生花の風合いのまま長期間保つために必要な密閉度の高い容器を、簡単に製作できる方法を提供する。【解決手段】一方向だけ口の開いている気密性のある容器内に、ドライフラワーと乾燥剤と脱酸素材を収納し、該容器の開口部に前記開口部よりやや大きいガラス板を接着剤で固定することにより密閉空間を形成し、前記ガラス板の切断面及び前記ガラス板と前記容器の接合部外周を覆ってアルミテープを貼り付け、前記アルミテープが見えないようにガラス板前面に枠状の飾り板を配し、前記密閉容器と前記飾り板と別のガラス板一枚を額縁付ケース内に収納した。【選択図】図１
2010059086.tif 000002
【特許請求の範囲】
【請求項１】
一方向だけ口の開いている気密性のある容器（１）内に、ドライフラワー（３）と乾燥剤（４）と脱酸素剤（５）を収納し、該容器の開口部に前記開口部よりやや大きいガラス板（２）を接着剤（２０）で固定することにより密閉空間を形成し、前記ガラス板の切断面及び前記ガラス板と前記容器の接合部外周を覆ってアルミテープ（２１）を貼り付け、前記アルミテープが見えないようにガラス板前面に枠状の飾り板（６）を配し、前記密閉容器と前記飾り板と別のガラス板（７）を額縁付ケース（８）内に収納したことを特徴とするドライフラワー観賞・保存用容器。
【請求項２】
前記一方向だけ開いている気密性のある容器（１）の内面全てに、フェルト（１１）を貼り付け、前記フェルトの面と面が交差する谷部に組み紐（１２）を接着固定したことを特徴とする請求項１に記載したドライフラワー観賞・保存用容器。
【発明の詳細な説明】
【技術分野】
【０００１】
本発明は、生花をドライフラワーにし、長期にわたって変色無く保存する為の保存容器において、奥行きのある額縁形をしたものに関する。
【背景技術】
【０００２】
従来から、ドライフラワーや押し花を奥行きのある額縁状の容器内に入れて装飾用とし、かつ変色を防止して長期間保存する方法が発明されている。
例えば特許文献１では、一方のみが開いている容器の中にドライフラワーや乾燥剤を入れて、開口部に額状の枠材を固定し、この枠材にガラス板を固定する方法が開示されている。
しかしながら上記方法では、接着によって気密を確保しなければならない箇所が多いので、製作に時間がかかり、かつ、長期間にわたって気密を保つには不利な構造である。
【特許文献１】特開２００１−９７８０1号公報
【発明の開示】
【発明が解決しようとする課題】
【０００３】
本発明は、奥行きのある額縁付容器内に収納したドライフラワーを、変色させずに生花の風合いのまま長期間保つために必要な密閉度の高い容器を、簡単に製作できる方法を提供することにある。
【課題を解決するための手段】
【０００４】
一方向だけ口の開いている気密性のある容器内に、ドライフラワーと乾燥剤と脱酸素材を収納し、該容器の開口部に前記開口部よりやや大きいガラス板を接着剤で固定することにより密閉空間を形成し、前記ガラス板の切断面及び前記ガラス板と前記容器の接合部外周を覆ってアルミテープを貼り付け、前記アルミテープが見えないようにガラス板前面に枠状の飾り板を配し、前記密閉容器と前記飾り板と別のガラス板一枚を額縁付ケース内に収納した。
【０００５】
又、前記一方向だけ開いている気密性のある容器の内面全てに、フェルトを貼り、面と面が交差する谷部に組み紐を接着固定することにより容器内の装飾性を高めた。
【発明の効果】
【０００６】
一方向だけ開いている既存の気密容器の一面に直接ガラス板を張り付ける構造なので、気密性の高い容器が容易に製作できる。
その際、容器とガラス板の接触部分とその周りに接着剤を塗ることで気密性を確保できるが、接着剤だけでは強度が不足するので、ガラス板と容器をアルミ製の粘着テープで貼り付けて補強した。
上記アルミテープはガラス板の断面を覆うように貼り付けるので、ガラスで切り傷を負う危険性も少なくなる。
【０００７】
前記アルミテープが見えないように枠状の飾り板を重ねて置き、更に別のガラス板を前記飾り板の上に置いてから、額縁付の容器に収納した。
以上により、完成状態ではアルミテープが見えず、かつ、紙や布や樹脂製の飾り板がガラス板で挟まれる状態になるので汚れにくい。
【０００８】
前記気密性のある容器は、他の目的に製造された既製品を使用する場合が多いので、その内面は必ずしも装飾用として適さないが、容器の内面全てにフェルトを貼り、フェルトの面と面の交差部（谷になる部分）に組み紐を接着することにより、装飾性を保ちながら継ぎ目や折り目を隠すことができる。
【発明を実施するための最良の形態】
【０００９】
本発明を実施するための最良の形態について図１、図２を用いて説明する。
図１は、本発明による額縁付ケース内に収納するドライフラワーの観賞・保存用容器の組み立て図である。
図２は、図１における接合部分Ａの拡大図である。
【００１０】
気密容器１にフェルト１１を貼り、奥面にドライフラワー３をアレンジし、ドライフラワー３の下の部分に乾燥剤４及び脱酸素剤５を置き、面と面の交差部分に組紐１２を接着する。
気密容器１としては、プラスチック製の一体成型品や金属製の缶が適している。
【００１１】
気密容器１にガラス板２を乗せ、接着剤２０にて空気の出入りが無いようにしっかり接着し、その上から、アルミテープ２１で断面を覆うように固定する。
アルミテープは薄くて強度があり樹脂製や布製のテープに比べ伸びが少なく長期間使用しても劣化が少ないので適している。
尚、ガラス板２が容器１の幅よりはみ出す長さＬは５〜１０ｍｍ程度が好ましい。
【００１２】
額縁付きケース８にガラス板７をはめ、その次に枠状の飾り板６を置き、その状態のところに、ガラスを接着した気密容器１をはめ込み、底蓋９で気密容器１を後ろから支えるように必要に応じて紙などを挟み、留め具１０で固定する。
【図面の簡単な説明】
【００１３】
【図１】本発明によるドライフラワーの観賞・保存用容器の組み立て方法説明図
【図２】図１における接合部分Ａの拡大図
【符号の説明】
【００１４】
１    一方向のみ開いている気密容器
２    ガラス板（接着用）
３    ドライフラワー
４    乾燥剤
５    脱酸素剤
６    枠状の飾り板
７    ガラス板（額縁に嵌めるためのもの）
８    額縁付ケース
８ａ  額縁部
９    底蓋
１０  底蓋の留め具
１１  フェルト
１２  組み紐
２０  接着剤
２１  アルミテープ
Ａ    気密容器１とガラス板２の接合部分
Ｌ    ガラス板２が容器１の幅からはみ出した長さ
【図１】
2010059086.tif 000003
【図２】
2010059086.tif 000004
(57)【要約】【課題】鉄筋のリブの形状に拘わらず鉄筋と確実に電気的に接続することができ、鉄筋を使用しての接地を良好に行うことができる鉄筋接続金具を提供する。【解決手段】鉄筋接続金具１は、直交する２本の鉄筋２に把持して接続する２つの接続部３と、２つの接続部３を連結する連結部４と、鉄筋２に接続部３を固定する固定部５とを備え、接続部３の内側面には三角錐状の複数の突起６を設け、接続部３を鉄筋２に把持させ、固定部５と連結部４の挿通孔８，７にネジ９を挿通させてナット１０に締め付け固定することで突起６が鉄筋２に食い込んで接続部３と鉄筋２とを確実に電気的に接続する。【選択図】図１
2010059615.tif 000002
【特許請求の範囲】
【請求項１】
格子状に配置される鉄筋の交差部分を電気的に接続して固定する鉄筋接続金具において、前記鉄筋を把持する接続部に突起を設け、前記接続部を前記鉄筋に固定した際に前記突起が前記鉄筋に食い込むようにしたことを特徴とする鉄筋接続金具。
【発明の詳細な説明】
【技術分野】
【０００１】
本発明は、格子状に配置される鉄筋の交差部分を電気的に接続して固定する鉄筋接続金具に関する。
【背景技術】
【０００２】
鉄筋コンクリート建造物では鉄筋を避雷設備の引下げ導線として使用したり、接地線や接地極として使用している。鉄筋を避雷設備の引下げ導線や接地線や接地極として使用するためには鉄筋同士を電気的に接続する必要がある。そこで、格子状に配置される鉄筋の交差部分を電気的に接続するために鉄筋接続金具が用いられている。この鉄筋接続金具は、鉄筋を把持する接続部に鉄筋の表面に突設されるリブに対応する溝またはスリットが設けられ、鉄筋との接触面積が大きくなるように形成されていた（例えば、特許文献１、特許文献２参照。）。
【０００３】
【特許文献１】特開平１１−３１５６１８号公報
【特許文献２】特開２００６−９５２４号公報
【発明の開示】
【発明が解決しようとする課題】
【０００４】
しかしながら、鉄筋のリブは高さや幅、配置間隔などが鉄筋の種類によって異なり、また、交差する鉄筋の配置状況によってリブの位置は異なるため、鉄筋接続金具の溝またはスリットが鉄筋のリブに一致しないこともある。このため、鉄筋同士の電気的接続が十分でなく、接地抵抗値が大きくなる場合があり、接地が良好に行えないことがあった。
【課題を解決するための手段】
【０００５】
本発明は、格子状に配置される鉄筋の交差部分を電気的に接続して固定する鉄筋接続金具において、鉄筋を把持する接続部に突起を設け、接続部を鉄筋に固定した際に突起が鉄筋に食い込むようにしたことを特徴とする。
【発明の効果】
【０００６】
本発明によれば、接続部の突起が鉄筋に食い込むことで鉄筋のリブの形状に拘わらず接続部と鉄筋の電気的接続を確実に行うことができ、接触抵抗値が小さくなるので接地を良好に行うことができるという効果がある。
【発明を実施するための最良の形態】
【０００７】
鉄筋接続金具は、直交する２本の鉄筋に把持して接続する２つの接続部と、２つの接続部を連結する連結部と、鉄筋に接続部を固定する固定部とを備え、接続部の内側面には三角錐状の複数の突起を設け、接続部を鉄筋に把持させ、固定部と連結部の挿通孔にネジを挿通させてナットに締め付け固定することで突起が鉄筋に食い込んで接続部と鉄筋とを確実に電気的に接続する。
【実施例１】
【０００８】
本発明に係る鉄筋接続金具の実施例１を図１〜図４の添付図面に基づいて説明する。
【０００９】
鉄筋接続金具１は格子状に配置される鉄筋２の交差部分に設けられ、２本の直交する鉄筋２の両方に接続するために鉄筋２を把持する２つの接続部３と、２つの接続部３を連結する板状の連結部４と、接続部３の先端に延設された固定部５とを備え、金属板材により形成されている。
【００１０】
接続部３は断面略半円状で鉄筋２の外周を把持するように弾性変形可能に形成され、内側面には複数の突起６が形成されている。この突起６は三角錐状や円錐状など頂点部が尖り、固定時に鉄筋２に食い込むように形成されている。また、接続部３を弾性変形させて鉄筋２を把持し、固定部５を連結部４に対向させた状態でネジ９を挿通するための挿通孔７，８が連結部４と固定部５に夫々形成されている。
【００１１】
このように形成された鉄筋接続金具１は、鉄筋２に一方の接続部３を嵌め合わせ、接続部３が鉄筋２を把持するように固定部５を連結部４側に反転させて固定部５を連結部４に対向させ、固定部５の挿通孔８と連結部４の挿通孔７にネジ９を挿通させてナット１０に締め付けることにより、接続部３の突起６が鉄筋２に食い込む。このため、鉄筋２の表面に突設されるリブ２ａの形状に拘わらず、接続部３を鉄筋２に電気的に接続して固定することができる。それから、他方側の接続部３も同様に鉄筋２に接続することで鉄筋２同士を電気的に接続することができる。
【００１２】
尚、本実施例において鉄筋接続金具は１つの部材により構成したが、例えば、図５に示すように２つの鉄筋接続金具を対向配置して鉄筋を挟持し、ネジとナットにより固定しても良いし、また、図６に示すように接続部と連結部を別体に形成し、接続部が鉄筋を把持するようにして接続部の両端に設けた固定部を一致させ、固定部の挿通孔と連結部の挿通孔にネジを挿通させてナットに締め付け固定するなど、鉄筋接続金具の構成について限定はない。また、固定方法はネジとナットに限るものではなく、固定部又は連結部の挿通孔をネジ孔に形成してネジが螺合するようにしても良い。
【図面の簡単な説明】
【００１３】
【図１】本発明に係る鉄筋接続金具を鉄筋に固定した状態の正面図である。
【図２】本発明に係る鉄筋接続金具を示す正面図である。
【図３】本発明に係る鉄筋接続金具を鉄筋に固定する様子を示す断面図である。
【図４】本発明に係る鉄筋接続金具を鉄筋に固定した状態の断面図である。
【図５】本発明に係る鉄筋接続金具の変形実施例を示す断面図である。
【図６】本発明に係る鉄筋接続金具の変形実施例を示す断面図である。
【符号の説明】
【００１４】
１    鉄筋接続金具
２    鉄筋
２ａ    リブ
３    接続部
４    連結部
５    固定部
６    突起
７    挿通孔
８    挿通孔
９    ネジ
１０    ナット
【図１】
2010059615.tif 000003
【図２】
2010059615.tif 000004
【図３】
2010059615.tif 000005
【図４】
2010059615.tif 000006
【図５】
2010059615.tif 000007
【図６】
2010059615.tif 000008
(57)【要約】【課題】地球上で得られる重力を、トルクを有する回転エネルギーに変換して、支点の異なるトルクで質量８を循環させながら、発電機を高速回転して発電する装置を提供する。【解決手段】連続運転を行うには高い位置え質量８が無いと停止する、そこで高い位置え質量８を運ぶには、本考案の装置で得た余剰エネルギーと、自然エネルギーで得た電気や、人力、によって高い位置え備蓄して行けば、定格連続運転が出来る。尚高圧送電線や鉄塔は不要で、構造が簡単なため経済効果は大きい。【特許請求の範囲】
【請求項１】
重力によって軸にトルクを発生させ、その回転軸が、発電及び質量を循環させ、不足する質量は、自然エネルギー及び人力等で連続運動を補って、電気を発生させる発電装置。
【発明の詳細な説明】
【技術分野】
【０００１】無公害、低コストで、電気を発生させる発電技術の分野。
【背景技術】
【０００２】発電装置を動かすために必要なエネルギーを、地球の重力から得て発電させる、質量を高い位置から落下させ、その質量を最大限循環させながら、その中心軸の回転力で電気を得る様に構成した発電装置。【０００３】化石エネルギーは地球環境を悪化させ、自然エネルギーは確実さを欠く、又立地条件や環境上送電設備が必要で、リスクを伴い化石エネルギーは資源に限りが有る。尚連続運動で永久機関は望めない。
【発明の開示】
【発明が解決しようとする課題】
【０００４】地球上で得られる重力を回転エネルギーに変換、回転距離を変えて中心軸より、発電力と、質量を、極力循環する力に分割、永久運動を補うため、自然エネルギーと人力により本の高さ迄復帰する。
又、送電設備を最小限にするため需要する場所に、規模に応じた発電装置を地球上の目的に応じた所え設置し、背景技術を補う。
【課題を解決するための手段】
【０００５】地球上の如なる場所でも利用出来る、重力のもつ落下エネルギーを回転力に変換して、既存の発電機を回す構造とる。
尚連続運転を続行するため、不足するエネルギーは、自然エネルギーで既に実施している発電機の力や、人の労力により補うものとする。
支点を変えて質量８を距離の異なる点え作用させるとその回転軸１のトルクはＴ＝ＷＬで最大となり短い距離のトルクＷｌ（Ｌ＝ロング，ｌ＝ショート）より大きいので、その差を利用して発電を行い、質量８を循環させて、連続運動が続く様に構成する。
又本考案は回転ドラムを質量８が働かすため構造が簡単で巾が狭く騒音が無いので需要する場所え設置出来るので、高圧送電線や鉄塔が不要となる。
【発明の効果】
【０００６】（イ）燃料を消費せず無公害である。
（ロ）設置場所を選ばず、需要地に置ける。
（ハ）大規模装置を必要とせず、簡易である。
（ニ）送電線（海、山から街え）を廃止出来る。
（ホ）循環出来ず下に残った質量を上に運ぶため、大容量発電では、人の雇用も必要となる。
（ヘ）既設送電線を廃止出来るので、鉄塔や高圧送電線の膨大な材料が余る
等の効果をもたらす。
【発明を実施するための最良の形態】
【０００７】本出願の図面で、図１に於いて説明すれば、左側の大きいドラム２を上下に配置してベルト９で連結し、その外周に質量８を複数個乗せ回転軸１に大きいトルクＷＬ（Ｗ＝質量、Ｌ＝ロングアーム）を発生させ、その回転軸１で発電機６を必要回転数迄増速する。ここで回転軸１のトルクＷＬは一部を消失するが、質量８を上部迄持上げるために、ＷＬより小さいトルクＷｌ（ｌ＝ショートアーム）が作用する循環ドラム３を回転軸１に上下配置してベルト１０で連結し、ＷＬが引力で下方に落下する回転軸１の反対側で、上方に持上げるベルト１０に、大きいドラム２の質量８が乗っている下側ドラム２の水平よりやや上部から勾配を有するガイド１３で循環ドラム３（ショートアーム）に乗せて上側ドラム２迄運んで、大きいドラム２の外周え復帰させる。
今、大きいトルクを得るため、大きいドラム２の外周え質量８を複数個乗せたのでバランスのため循環ドラム３側えは１、２個しか乗せられないと下側に残るので、図１の右側逆回転循環ドラム４に連結継手５で連結して上側の大きいドラム２の外周え復帰させる。
一連のバランス構成は計算によって決定されるが、質量８は自然エネルギーの発電機と、人力によって、高い位置え備蓄７して行けば連続運転が行える。
尚、連続継手５は、自然エネルギーで得た電気と、人力でも回せる構造とする。
【図面の簡単な説明】
【０００８】
【図１】本発明の全体構成を表わす側面図
【図２】        〃              平面図
【符号の説明】
【０００９】１    回転軸
２    大きいドラム（ロングアーム）＝Ｌ
３    循環ドラム（ショートアーム）＝ｌ
４    逆回転循環ドラム
５    連結継手、兼外部入力軸
６    発電機
７    備蓄した質量
８    質量（Ｗ）
９    大きいドラムを連結するベルト
１０  循環ドラムを      〃
１１  逆回転ドラムを    〃
１２  発電機連結ベルト
１３  移動ガイド
１４  軸受
１５  センサーを有したストッパー
【実施例１】
【００１０】ビルや家、マンションの外壁に取付けて電気を直接供給。【００１１】電車や送電設備のある敷地内に設置して直接送電。【００１２】工場の敷地内に設置して、工場全体の電気を賄う。【００１３】
2010059955.tif 000002
【実施例２】
【００１４】本装置を横に数多く並べて、大容量発電を行う。
【産業上の利用可能性】
【００１５】電気を必要とする全ての分野で、電気の供給を受ける取合いの上流部全ての、設備や施設及び装置を取除くための工事が発生し、除去する物資は、その供給する構造物の資材として利用出来る。
又、地球上の如なる場所でも設置出来るので
2010059955.tif 000003
変換する事も可能である。
尚本考案に拠る発電は、燃料を全く必要とせず“無公害、無消費”なので発展の基幹であった電気を逆に踏だんに活用して、今日迄放出した公害物質を減少させる装置や設備を動かし、又産業発辰の“原動力”として提供出来る。又人々の希望や理想を実現する為の産業分野に利用可能である。
【図１】
2010059955.tif 000004
【図２】
2010059955.tif 000005
(57)【要約】      （修正有）【課題】水車発電機が自然発生による環境条件に左右されることなく、また資源の無駄を作らない安定的に一定した電力を作る。【解決手段】潤滑油３の落下を利用して水車５を回転させ、潤滑油３の循環に必要なポンプ４とその動力になるエネルギーは、水車を回転させる大小のＶベルトを使用したプーリー６を設けてポンプ４の動力にし、動力となるモーター８，９により発電機７に必要な回転数を作り、発電機７による負荷が生じた場合は、水車５の遠心力が動力モーター８，９に掛かる負荷を助け、動力モーター８，９のかかる電力は、ＵＰＳ（無停電電源装置）１０または別電源（別発電機）または他電源を利用して回転させ、発電機７で電力を発生した場合には発電機７より電力を供給できるシステムに切替わり、発電機７で常に安定した電力を供給するためには動力となるモーター８，９の交互による運転が必要。【選択図】図１
2010119281.tif 000002
【特許請求の範囲】
【請求項１】
エネルギーの循環型を作り、資源の無駄を作らないシステムであり、潤滑油の落下を利用して水車の回転を一定化させて、その回転に伴なう遠心力が発生して動力モーターの負荷を助け、潤滑油の循環には、ポンプが必要になり、その動力になるポンプのエネルギーは、水車を回転させるための途中にある大小のＶベルトを使用したプーリーを設けてポンプの動力とし、動力となるモーターにより発電機に必要な回転数を作り、発電機による負荷が生じた場合に、水車の遠心力が動力モーターに掛かる負荷を助け、動力（モーター）のかかる電力は、ＵＰＳ（無停電電源装置）または、別電源（別発電機）または他電源を利用して回転させ、発電機で電力を発生した場合には発電機より電力を供給できるシステムに切替わり、発電機で常に安定した電力を供給するためには、動力となるモーターの交互による運転が必要になる。
【発明の詳細な説明】
【技術分野】
【０００１】本発明は、潤滑油の落下を利用して水車の回転を一定化させ、潤滑油の循環に必要なポンプの動力は、水車を回転させる大小のＶベルトを使用したプーリーを設けて動力とし、動力となるモーターにより発電機に必要な回転数を作り、発電機に負荷が生じた場合には水車の遠心力が動力モーターに掛かる負荷を助け、動力（モーター）の電力はＵＰＳ（無停電電源装置）又は別電源（別発電機）又は他電源を使用して回転させ、発電機で電力を発生した場合には発電機より電力を供給できるシステムに切替わり、発電機が常に安定した電力を供給するためには、動力となるモーターの交互による運転が必要。
【背景技術】
【０００２】
【発明の開示】
【発明が解決しようとする課題】
【０００３】水車発電機が自然発生による環境条件に左右されることなく、また資源の無駄を作らない安定的に一定した電力を作る。
【課題を解決するための手段】
【０００４】▲１▼水車の回転を一定化させ、資源の無駄をなくすため、エネルギーの循環型を作り潤滑油の落下を利用して水車を回転させ、▲２▼潤滑油の循環に必要なポンプとその動力になるエネルギーは、水車を回転させる大小のＶベルトを使用したプーリーを設けてポンプの動力にし、▲３▼動力となるモーターにより発電機に必要な回転数を作り発電機による負荷が生じた場合は、水車の遠心力が動力モーターに掛かる負荷を助け、▲４▼動力モーターのかかる電力はＵＰＳ（無停電電源装置）又は別電源（別発電機）又は他電源を利用して回転させ、発電機で電力を発生した場合には発電機より電力を供給できるシステムに切替わり、▲５▼発電機で常に安定した電力を供給するためには、動力となるモーターの交互による運転が必要。
【発明の効果】
【０００５】この水車発電システムにより環境に左右されず資源の無駄を作らない安定的に一定した電力を確保することが可能。
【図面の簡単な説明】
【０００６】
【図１】１．エネルギーの循環型▲１▼を作り、資源の無駄を無くすシステムであり潤滑油貯水槽▲２▼より吸い上げた潤滑油▲３▼の落下を利用して水車▲５▼の回転を一定化させて、その回転に伴った遠心力が発生して動力モーター▲８▼、▲９▼の負荷を助ける。２．潤滑油▲３▼の循環にはポンプ▲４▼が必要になり、その動力になるポンプ▲４▼のエネルギーは、水車▲５▼を回転させるための途中にある大小のＶベルトを使用したプーリー▲６▼を設けてポンプ▲４▼の動力とする。３．動力となるモーター▲８▼、▲９▼により発電機▲７▼に必要な回転数をつくり、発電機▲７▼による負荷が生じた場合に、水車▲５▼の遠心力が動力モーター▲８▼、▲９▼にかかる負荷を助ける。４・動力モーター▲８▼、▲９▼のかかる電力は、ＵＰＳ（無停電電源装置）▲１０▼又は別電源（別発電機）又は他電源を利用して回転させ、発電機▲７▼で電力を発生した場合には発電機▲７▼より電力を供給できるシステムに切替わる。５．発電機▲７▼で常に安定した電力を供給するためには、動力となるモーターの交互による運転が必要になり、動力モーター▲８▼、▲９▼の交互運転が必要となる。
【符号の説明】
【０００７】    ▲１▼潤滑油の循環式    ▲２▼潤滑油貯水槽    ▲３▼潤滑油    ▲４▼循環式ポンプ    ▲５▼水車    ▲６▼Ｖベルト式プーリー    ▲７▼発電機    ▲８▼動力モーター（Ｂ）    ▲９▼動力モーター（Ｃ）    ▲１０▼ＵＰＳ（無停電電源装置）
【図１】
2010119281.tif 000003
(57)【要約】【課題】本発明は傘である。通常、傘の親骨の先端には、危険防止のため露先がつけられているが、傘使用時に使用者の周辺に位置する他者にとっては危険なものであるため、親骨形状を再構成することにより露先をなくし、安全性を向上させた傘を提供する。【解決手段】傘の親骨の先端部を折り返しＵ字状に曲げることにより、輪の形状を有す親骨を設ける。親骨はそれぞれの輪の全周が張り布に接するように設ける。【選択図】図１
2010119808.tif 000002
【特許請求の範囲】
【請求項１】
傘の親骨の先端部を折り返しＵ字状に曲げることにより輪の形状を有す親骨を設け、前記親骨が張り布に接した傘。
【発明の詳細な説明】
【技術分野】
【０００１】  本発明は、傘であって、使用時における親骨先端部分（露先）による他者への危険防止を図った傘に関するものである。
【背景技術】
【０００２】  従来の傘は使用時に親骨先端部分が他者へ危険を及ぼすおそれがあり、先が丸い露先をつけることにより、他者への危険を軽減していることは知られている。
【発明の開示】
【発明が解決しようとする課題】
【０００３】  傘を開いて使用するとき、次のような問題点があった。
傘の親骨の先端には、危険防止のため露先がつけられているが、傘使用時に使用者の周辺に位置する他者にとっては危険なものである。
本発明は、親骨形状を再構成することにより露先をなくし、安全性を向上させるためになされたものである。
【課題を解決するための手段】
【０００４】  傘の親骨の先端部を折り返しＵ字状に曲げることにより、輪の形状を有す親骨を設ける。親骨はそれぞれの輪の全周が張り布に接するように設ける。
本発明は、以上の構成よりなる傘である。
【発明の効果】
【０００５】  本発明の使用により、傘使用時の使用者周辺に位置する他者への危険を軽減できる。
【発明を実施するための最良の形態】
【０００６】  以下、本発明の実施の形態を説明する。
（イ）傘（１）の親骨（２）の先端部（３）を折り返しＵ字状に曲げることにより、輪の形状を有す親骨（４）を設ける。
（ロ）親骨はそれぞれの輪の全周が張り布に接するように設ける。
本発明は以上の構成よりなる。
【図面の簡単な説明】
【０００７】
【図１】本発明の斜視図
【符号の説明】
【０００８】  １  傘
２  親骨
３  先端部
４  輪の形状を有す親骨
【図１】
2010119808.tif 000003
(57)【要約】      （修正有）【課題】捻挫を防止するための靴を提供する。【解決手段】靴底を三つの部分1,3,4に分け、その間を伸縮性のある弾性体2つなぐことを特徴とする。【選択図】図１
2010119809.tif 000002
【特許請求の範囲】
【請求項１】
靴底を親指の部分、その他の指の部分、かかとの部分の三つの部分に分け、その間を伸縮性のある弾性体でつないだ靴底。
【発明の詳細な説明】
【技術分野】
【００１】この発明は、靴底を三つの部分に分けた分割式靴底に関するものである。
【背景技術】
【００２】従来より靴底は、全体が一体となったものであった。
【発明の開示】
【発明が解決しようとする課題】
【００３】これは次のような欠点があった。
靴底全体が一体となっている為、靴底に不均等に力が加わると、その力が足首にかかり捻挫がおきやすかった。
本発明は、その欠点を除くためになされたものである。
【課題を解決するための手段】
【００４】靴底を親指の部分、その他の指の部分、かかとの部分の三つの部分に分け、その間を伸縮性を持つ弾性体でつなぐ本発明は以上の様に構成された分割式靴底である。
【発明の効果】
【００５】本発明は以上の様な構造である為、靴底に不均等に力が加わっても、三つの部分がそれぞれ独立して対応する為靴底全体が傾くことがなく、足首への負担は軽減される。
【図面の簡単な説明】
【００６】
【図１】本発明を斜め下方より見た斜視図である。
【符号の説明】
【００７】１親指の部分の靴底  ２伸縮性を持つ弾性体
３その他の指の部分の靴底  ４かかとの部分の靴底
【図１】
2010119809.tif 000003
(57)【要約】【課題】細かな宝石や装飾品、ネジなど細かな為、収集する事は容易ではなく細かい物体は作業しにくい。従来のスポイトでは物体を吸込み収集することに吸込み口の形状や内部の形が向いていなかった。【解決手段】吸込み口２を広げ素材をゴムやシリコンなどにすることで吸収力が上がり、スポイト内部に貯蔵部分４を設ける事で収集作業の能率が上がる。排出口５があることで細かな宝石や装飾品、細かなネジなどの、収集作業が容易になり能率が上がる。【選択図】図１
2010119802.tif 000002
【特許請求の範囲】
【請求項１】
細かな宝石や装飾品、ネジなど細かな物を吸込み容易に収集するスポイト。
【請求項２】
前記スポイトの内部は一度吸込んだ細かな宝石や装飾品、ネジなど細かな物を吸込み口から落ちない様に内部の構造に返し等がある事を特徴徴とする請求項１記載のスポイト。
【発明の詳細な説明】
【技術分野】
【０００１】この発明は、スポイトの形状に関する。
【背景技術】
【０００２】従来のスポイトの形状は、図２に示すように、スポイトは少量の液体を吸い上げ、別の容器等に移動させるときに使用するものである。
【発明の開示】
【発明が解決しようとする課題】
【０００３】しかしながら、以上の技術によれば、スポイトの吸込み口は液体を収集しやすいように口が小さく、また一度吸込むと排出しなければ次の収集が出来なかった。そこで、この発明は、固体も収集でき収集作業を連続して出来るスポイトを提供することを課題とする。
【課題を解決するための手段】
【０００４】  以上の課題を解決するためスポイト内部に吸込んだ物体が吸込み口から落ちないようにする為に、第一発明は、返しがある事を特徴とするスポイトである。
また、スポイト内部に吸込んだ物体が吸込み口から落ちないようにする為に、第二発明は、物体を貯蓄する部分があることを特徴とするスポイトである。
【発明の効果】
【０００５】  第一発明、または第二発明によれば、スポイト内部に吸込んだ細かな物体が吸込み口から落ちず、効率よく収集作業が出来る。
【発明を実施するための最良の形態】
【０００６】  この発明の一実施形態を、図１に示す。
スポイトの本体１はプラスチック、シリコン素材などその他の素材であり、この本体１の側面には、吸込み口２が一体的に設けられている。この吸込み口２の口の部分は物体が吸込まれ易いように筒の部分よりも広がっている。吸込み口２はやわらかいゴム、シリコンが吸込み口２に装着する事もできる。また、反し３がある事で、貯蓄部分４に溜まった物体が吸込み口２から出ることをふせぐ。貯蓄部分４があることで吸込んだ物体を貯蓄することが出来、吸込み排出を繰り返さず吸込み作業を続け、収集作業を能率よくする。貯蓄部分４に貯蓄した物体は乳頭６を外すことで排出口５から排出する。【０００７】「実施形態の効果」
この実施形態によれば、細かな宝石や装飾品、ネジなどを収集するのはピンセットや素手でも細かなため収集し難かったが、スポイトの吸込み口２からの吸込みの作用によって容易に収集し排出口５から取り出すことが出来、よって作業が効率よく時間短縮することが出来る。【０００８】「他の実施形態」
図１の実施形態では、スポイトの素材は、プラスチック、シリコン素材などであるが、他の実施形態では、スポイト内部に吸込んだ宝石やビーズ、ラインストーンなどの吸込んだ物がスポイト内部の壁で傷つくのを防ぐためにスポイト内部に柔らかな素材で二重構造に設けたものでも良い。
【図面の簡単な説明】
【０００９】
【図１】この発明の一実施形態を示す斜視図である。
【図２】従来技術を示す斜視図である。
【符号の説明】
【００１０】１  スポイト本体  ２  吸い込み口  ３  返し  ４  貯蓄部分
５  排出口  ６乳頭
【図１】
2010119802.tif 000003
【図２】
2010119802.tif 000004
(57)【要約】【課題】  本発明は、はめ込み・収納式により、多機能に使えるクッションに関するものである。【解決手段】  充填物有部の好みの形状のクッションの縫合部にフリルを設け、それを利用して充填物有部の枠クッションの穴にはめ込み、充填物無部のカバーに収納できることにより、それぞれ単体として使用、または組み合わせての使用が可能なことを特徴とするクッション【選択図】図１
2010119801.tif 000002
【特許請求の範囲】
【請求項１】
充填物有部の好みの形状のクッションの縫合部にフリルを設け、それを利用して充填物有部の枠クッションの穴にはめ込み、充填物無部のカバーに収納できることにより、それぞれ単体として使用、または組み合わせての使用が可能なことを特徴とするクッション
【発明の詳細な説明】
【技術分野】
【０００１】  本発明は、はめ込み・収納式により、多機能に使えるクッションに関するものである。
【背景技術】
【０００２】  従来、クッションは単体で組み合わせができない、用途が限られた発明が知られている。
【特許文献１】特開２００６−３２０４４５
【特許文献２】特開２００６−５５４９２
【特許文献３】特表２００８−５０００７５
【発明の開示】
【発明が解決しようとする課題】
【０００３】  そのために次のような問題点があった。
（イ）用途が限られており、利用範囲が狭い。
（ロ）単体のため組合わせができない。
本発明は以上の問題点を解決しようとするものである。
【課題を解決するための手段】
【０００４】  充填物有部のかわいい系のクッションの縫合部にフリルを設け、それを利用して充填物有部の枠クッションの穴にはめ込み、充填物無部のカバーに収納できることにより、それぞれ単体として使用、または組み合わせての使用が可能なことを特徴とするクッション
【発明の効果】
【０００５】（イ）多機能で利用範囲が広く、置いてあるだけでかわいい。
（ロ）小さいクッションは枕・パソコン用のアームレスト等にも使える。
（ハ）枠の部分は通気性の良い円座代わりに使える。
（ニ）カバーは敷物としても使える。
（ホ）カバーの中から更にかわいいクッションが出てくる工夫がされてあり、夢がある。
（ヘ）カバーを付けて普段用、カバーを外して来客用等に分けて使える。
（ト）部屋の模様替えにも最適である。
【発明を実施するための最良の形態】
【０００６】  以下、本発明の実施の形態を説明する。クッションの一例としてハート型と３つのクッションを用いて説明する。
（イ）充填物有部（５）のフリルクッション（１）の縫合部（６）にフリル（７）を設ける。
（ロ）充填物有部（５）の枠クッション（２）に穴（８）を設ける。
（ハ）充填物有部（５）の一般的なクッションを中クッションとする。
（ニ）充填物無部（９）のカバー（４）の側面にファスナー（１０）を設ける。
本発明は、以上のような構造よりなっている。
これを使用する時は、ＴＰＯに合わせて充填物有部（５）のフリルクッション（１）のみ、充填物有部（５）の枠クッション（２）のみ、充填物有部（５）の中クッション（３）のみ、充填物無部（９）のカバー（４）のみの単体、またはフリル（７）を利用して充填物有部（５）のフリルクッション（１）を充填物有部（５）の枠クッション（２）にはめ込み、組み合わせての使用、更にそれらを図６の通り充填物無部（９）のカバー（４）内に収納しての使用も可能である。これにより利用範囲が広く、多機能で収納可能な効果が得られる。
【図面の簡単な説明】
【０００７】
【図１】本発明の一部の平面図
【図２】本発明の一部の平面図
【図３】本発明の一部の平面図
【図４】本発明の一部の平面図
【図５】本発明の使用状態を示す平面図
【図６】本発明の使用状態を示す平面図
【符号の説明】
【０００８】  １  フリルクッション
２  枠クッション
３  中クッション
４  カバー
５  充填物有部
６  縫合部
７  フリル
８  穴
９  充填物無部
１０  ファスナー
【図１】
2010119801.tif 000003
【図２】
2010119801.tif 000004
【図３】
2010119801.tif 000005
【図４】
2010119801.tif 000006
【図５】
2010119801.tif 000007
【図６】
2010119801.tif 000008
(57)【要約】【課題】周囲の明かりが不十分であると、写真を良好な鑑賞をすることができず、また夜間の場合には写真を鑑賞することができなかった。  本発明は、夜間等でも鑑賞できる、ライト付き透明写真立てを提供する。【解決手段】半透明の写真を装着する写真立ての後部に、照明装置を設けたことを特徴とする、ライト付き透明写真立てで、解決する。【選択図】図１
2010119803.tif 000002
【特許請求の範囲】
【請求項１】
半透明の写真を装着する写真立ての後部に、照明装置を設けたことを特徴とする、ライト付き透明写真立て。
【発明の詳細な説明】
【技術分野】
【０００１】  本発明は、半透明な写真を後ろからライトを当てた写真立てに、関するものである。
【背景技術】
【０００２】  従来、一般の写真立ては、額縁状をして表面にガラスがはめ込まれた写真立て本体内に、写真が収容され、この写真を裏板との間ではさむものであって、写真の鑑賞は、周囲の明かりに依存していた。
【発明の開示】
【発明が解決しようとする課題】
【０００３】  周囲の明かりが不十分であると、写真を良好な鑑賞をすることができず、また夜間の場合には写真を鑑賞することができなかった。
本発明は、以上の問題点を解決するためになされたものである。
【課題を解決するための手段】
【０００４】  半透明の写真を装着する写真立ての後部に、照明装置を設けたことを特徴とする、ライト付き透明写真立て。
【発明の効果】
【０００５】  周囲の明かり不十分であったり、夜間でも、後ろに付いているライトによって、写真を鑑賞することができるようになった。また、写真を半透明にしていることによって、イルミネーションのような効果もある。
【発明を実施するための最良の形態】
【０００６】  以下、本発明の実施の形態を説明する。
（イ）写真立て本体（１）に半透明の写真（２）を収納する。
（ロ）写真立て本体（１）の後ろ側に、七色に光る、ライト（ＬＥＤ）（３）を設ける。
（ハ）裏板（４）は、透明な素材でできている。
（ニ）写真立てのささえ部分（５）のところに、電池ボックス（６）が設けられている。
（ホ）電池ボックス（６）のところに、ライトのスイッチ（７）がある。
本発明は以上のような構造である。
本発明の使用方法は、周囲の明かりが不十分であったり、夜間の場合に、ライトのスイッチ（７）をＯＮにし、七色に光るライト（３）を光らせる。これにより、半透明の写真（２）がイルミネーションのように光り、半透明の写真（２）が後ろのライト（３）により、光る。
【図面の簡単な説明】
【０００７】
【図１】本発明の斜視図
【図２】本発明の前面図（ａ）と後面図（ｂ）
【図３】本発明の側面図
【符号の説明】
【０００８】  （１）写真立て本体
（２）半透明の写真
（３）ライト
（４）裏板
（５）写真立てのささえ部分
（６）電池ボックス
（７）ライトのスイッチ
【図１】
2010119803.tif 000003
【図２】
2010119803.tif 000004
【図３】
2010119803.tif 000005
(57)【要約】      （修正有）【課題】循環系への負荷がかかることで死亡事故が発生しやすい入浴時に、心電シグナルを取得する方法は、直接皮膚に防水型の電極を装着するか、非拘束・無意識的な条件下である非接触電極を使うかのどちらかである。浴槽に設置する非接触電極の場合、一般的な水道水や井戸水を加温した温浴では、心電シグナルの減衰が著しいうえ、湯のゆらぎによるノイズの影響を大きく受け、心拍数を解析する程度のデータは取れても、波形データとしての質的な問題があった。【解決手段】高濃度炭酸泉入浴では、電解質を新たに加えることなく、浴槽に設置した複数の耐腐食性電極で心電シグナルを取得する。取得された心電データは二次的に異常状態の警報や遠距離医療に活用する。【選択図】なし【特許請求の範囲】
【請求項１】
炭酸泉入浴時に、浴槽内に複数設置した非接触電極で心電シグナルを取得する方法。
【請求項２】
炭酸泉入浴時に取得した心電シグナルを増幅・デジタル変換し、異常状態を警報する方法。
【請求項３】
炭酸泉入浴時に取得した心電シグナルを、イントラネットやインターネットを経由して医療機関等に転送し、個々人の心電データとして保存・管理する遠隔医療に使う方法。
【発明の詳細な説明】
【技術分野】
【０００１】本発明は、高濃度炭酸泉入浴時に、入浴者の皮膚に電極等の物理的な接触をすることのない非拘束・無意識的な条件下で、入浴中の心電シグナルを取得する方法である。浴槽内に複数設置する、例えばステンレスのような、耐腐食性電極は特別な素材や形状を必要とせず、その電極面の面積が９〜１００ｃｍ２の範囲であれば、取得される心電シグナルの大きさはあまり影響されない。
【背景技術】
【０００２】循環系への負荷がかかることで死亡事故が発生しやすい入浴中の心電計測として、防水処理した接触電極を付けたホルター心電計で２４時間以上の長時間記録を取ることは、現在可能である。また、食塩など電解質を溶かして、水の電気伝導度を上げることで、非接触電極を使って入浴中の心電図を取ることが可能なことは、既に知られている。また、非接触の浴槽内設置の電極として、銀と塩化銀、ステンレス、ポリエステルフィルムに銀蒸着（非特許文献１）、特殊形状電極（特許文献１）などが試験的に使われてきた。
【非特許文献１】「家庭用浴槽での入浴時心電図データ収集システム」、米沢良治、魚川佳宏、槇弘倫、二宮石雄、佐田孝治、濱田眞悟共著、医器学、７２巻、２０−２５ページ、２００２年
【特許文献１】特開２００３−１７５０８７
【発明が解決しようとする課題】
【０００３】入浴時の心電シグナルを取得する際、電極を直接皮膚に装着することのない非拘束・無意識的な条件下で、かつ食塩などの電解質を新たに溶かし込むことなく、安全かつ質的にも解析可能な心電シグナルを取得することである。
【課題を解決するための手段】
【０００４】高濃度炭酸泉では溶け込んでいる二酸化炭素の大部分は、遊離炭酸ガスとしてＣＯ２分子のまま存在するが、一部は炭酸イオンとして電離するため、弱酸性（ｐＨ４．５〜６程度）を呈す。そのため、水の電気伝導性が増し、他の電解質を溶解させる必要がない。心電シグナルの大きさは、皮膚への直接電極装着時に比べると、数分の一に減衰するものの、浴槽内に装着した複数の電極で入浴者の心電シグナルを容易に取得できる。（図１ロ）
【０００５】第二は、従来通常の湯の場合、湯のゆらぎにより発生するノイズが影響して、正しく心電シグナルが取れないとされてきた。しかし、炭酸泉の場合は、波形の違いとピーク間の不均一性から心電シグナルとを区別できる。（図２）
【０００６】第三は、入浴時と出浴時の心電図の波形は、湯のゆらぎによるノイズに加え、骨格筋の筋電シグナルの影響を受けるが、１０秒以内の短時間に限定され、その波形から容易に心電シグナルと区別される。（図３イおよびロ）
【図面の簡単な説明】
【図１】接触型電極による心電図と炭酸泉温浴時の非接触浴槽電極による心電図。比較のため、電気シグナルの大きさは相対的に示している。〔符号の説明〕（イ）通常の皮膚電極で３極誘導時（ロ）炭酸泉入浴時の非接触浴槽内電極で３極誘導時
【図２】炭酸泉の出浴直後の湯のゆらぎにより発生するノイズ
【図３】生体情報モニタの基線安定フィルタ処理した炭酸泉入浴開始時と出浴時の心電図
【符号の説明】
（イ）入浴開始時
（ロ）出浴時
【図１】
2010119814.tif 000002
【図２】
2010119814.tif 000003
【図３】
2010119814.tif 000004